(57)【要約】  本発明は、通信の分野に適用可能であり、表示データを受信するための方法と、基地局とを提供し、方法は、基準セルのチャネルのセルタイミング差情報を受信するステップと、高速専用物理制御チャネル(HS-DPCCH)の境界を、セルタイミング差情報に従った計算を通して獲得するステップと、HS-DPCCHのCQI送信時点および高速共有制御チャネル(HS-SCCH)の受信時点を、HS-DPCCHの境界に従った計算を通して獲得するステップとを含む。本発明の特定の実施形態において提供される技術的解決策は、マルチフローの場合に、非基準セルがアップリンクデータを正常に受信することを保証するという利点を有する。
2014527776.tif 000002
【特許請求の範囲】
【請求項１】
チャネル境界を位置付けるための方法において、
ネットワーク側によって送付されたセルタイミング差情報を、非基準セルの基地局が受信するステップと、
高速共有制御チャネル(HS-SCCH)の受信時点を、前記セルタイミング差情報に従った計算を通して、前記非基準セルの前記基地局が獲得するステップと、
前記非基準セルの高速専用物理制御チャネル(HS-DPCCH)の境界情報を、前記HS-SCCHの前記受信時点に従って、前記非基準セルの前記基地局が獲得するステップと
を含むことを特徴とする方法。
【請求項２】
前記セルタイミング差情報が、τDIFFであり、前記τDIFFが、基準セルと前記非基準セルのペアをなす高速物理ダウンリンク共有チャネル(HS-PDSCH)サブフレーム間のタイミング差であることを特徴とする、請求項1に記載の方法。
【請求項３】
前記HS-SCCHの前記受信時点を、前記セルタイミング差情報に従った前記計算を通して前記獲得するステップが、具体的には、
前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するステップであって、前記受信時点が、CFN_DRXとS_DRXの組合せである、ステップを含み、
ここで、前記CFN_DRXが、DRXステータスにおける接続フレーム番号であり、前記S_DRXが、前記DRXステータスにおけるサブフレーム番号であり、前記UE_DTX_DRX_Offsetおよび前記UE_DRX cycleが、前記ネットワーク側がUEのために構成するDRXパラメータであり、前記UE_DTX_DRX_Offsetが、DRXのパターンとDTXのパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る
ことを特徴とする、請求項2に記載の方法。
【請求項４】
前記非基準セルが追加のHARQ-ACK処理時間を必要としないように構成された場合、前記DRX_OFFSETは、下記の通りであり、
【数１】
2014527776.tif 000017
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項3に記載の方法。
【請求項５】
前記非基準セルが追加のHARQ-ACK処理時間を必要とするように構成された場合、前記DRX_OFFSETは、下記の通りであり、
【数２】
2014527776.tif 000018
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項3に記載の方法。
【請求項６】
前記非基準セルの前記HS-DPCCHの前記境界情報を、前記HS-SCCHの前記受信時点に従って前記獲得するステップが、具体的には、
前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの前記境界情報、すなわち、HS-DPCCH CFN_DRX nとして決定するステップを含み、ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項4に記載の方法。
【請求項７】
前記非基準セルの前記HS-DPCCHの前記境界情報を、前記HS-SCCHの前記受信時点に従って前記獲得するステップが、具体的には、
前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの前記境界情報、すなわち、HS-DPCCH CFN_DRX nとして決定するステップを含み、ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項5に記載の方法。
【請求項８】
チャネル境界を位置付けるための方法において、
ネットワーク側によって送付されたセルタイミング差情報を、ユーザ機器が受信するステップと、
非基準セルの高速共有制御チャネル(HS-SCCH)の受信時点を、前記セルタイミング差情報に従った計算を通して、前記ユーザ機器が獲得するステップと、
前記非基準セルの高速専用物理制御チャネル(HS-DPCCH)の境界を、前記HS-SCCHの前記受信時点に従って、前記ユーザ機器が獲得するステップと
を含むことを特徴とする方法。
【請求項９】
前記セルタイミング差情報が、具体的には、
DRX_OFFSETまたはτDIFF  であり、
ここで、前記DRX_OFFSETが、DRXオフセットであり、具体的には、前記非基準セルにおいてUEのチャネルタイミングを計算するために使用されるパラメータであり、単位としてサブフレームを取り、前記τDIFFが、基準セルと前記非基準セルのペアをなす高速物理ダウンリンク共有チャネル(HS-PDSCH)サブフレーム間のタイミング差である
ことを特徴とする、請求項8に記載の方法。
【請求項１０】
前記非基準セルの前記HS-SCCHの前記受信時点を、前記セルタイミング差情報に従った前記計算を通して、前記ユーザ機器が前記獲得するステップが、具体的には、
前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するステップであって、前記受信時点が、CFN_DRXとS_DRXの組合せである、ステップを含み、
ここで、前記CFN_DRXが、DRXステータスにおける接続フレーム番号であり、前記S_DRXが、前記DRXステータスにおけるサブフレーム番号であり、前記UE_DTX_DRX_Offsetおよび前記UE_DRX cycleが、前記ネットワーク側が前記UEのために構成するDRXパラメータであり、前記UE_DTX_DRX_Offsetが、DRXのパターンとDTXのパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る
ことを特徴とする、請求項9に記載の方法。
【請求項１１】
前記セルタイミング差情報がτDIFFであり、前記非基準セルが追加のHARQ-ACK処理時間を必要としないように構成された場合、前記DRX_OFFSETは、下記の通りであり、
【数３】
2014527776.tif 000019
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項9に記載の方法。
【請求項１２】
前記セルタイミング差情報がτDIFFであり、前記非基準セルが追加のHARQ-ACK処理時間を必要とするように構成された場合、前記DRX_OFFSETは、下記の通りであり、
【数４】
2014527776.tif 000020
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項9に記載の方法。
【請求項１３】
前記非基準セルの前記HS-DPCCHの前記境界を、前記HS-SCCHの前記受信時点に従って、前記ユーザ機器が前記獲得するステップが、具体的には、
前記非基準セルが追加のHARQ-ACK処理時間を必要としないように構成された場合、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するステップを含み、または
前記非基準セルが追加のHARQ-ACK処理時間を必要とするように構成された場合、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するステップを含み、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項10に記載の方法。
【請求項１４】
前記非基準セルの前記HS-DPCCHの前記境界を、前記HS-SCCHの前記受信時点に従って、前記ユーザ機器が前記獲得するステップが、具体的には、
前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するステップを含み、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項11に記載の方法。
【請求項１５】
前記非基準セルの前記HS-DPCCHの前記境界を、前記HS-SCCHの前記受信時点に従って、前記ユーザ機器が前記獲得するステップが、具体的には、
前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するステップを含み、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項12に記載の方法。
【請求項１６】
受信ユニットと、第1の計算ユニットと、第2の計算ユニットとを備え、
前記受信ユニットが、ネットワーク側によって送付されたセルタイミング差情報を受信し、前記セルタイミング差情報を前記第1の計算ユニットに送るように構成され、
前記第1の計算ユニットが、高速共有制御チャネル(HS-SCCH)の受信時点を、前記セルタイミング差情報に従った計算を通して獲得し、前記HS-SCCHの前記受信時点を前記第2の計算ユニットに送るように構成され、
前記第2の計算ユニットが、非基準セルの高速専用物理制御チャネル(HS-DPCCH)の境界情報を、前記HS-SCCHの前記受信時点に従って獲得するように構成されている
ことを特徴とする基地局。
【請求項１７】
前記セルタイミング差情報が、τDIFFであり、前記τDIFFが、基準セルと前記非基準セルのペアをなす高速物理ダウンリンク共有チャネル(HS-PDSCH)サブフレーム間のタイミング差であることを特徴とする、請求項16に記載の基地局。
【請求項１８】
前記第1の計算ユニットが、前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、前記受信時点が、CFN_DRXとS_DRXの組合せであり、
ここで、前記CFN_DRXが、DRXステータスにおける接続フレーム番号であり、前記S_DRXが、前記DRXステータスにおけるサブフレーム番号であり、前記UE_DTX_DRX_Offsetおよび前記UE_DRX cycleが、前記ネットワーク側がUEのために構成するDRXパラメータであり、前記UE_DTX_DRX_Offsetが、DRXのパターンとDTXのパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る
ことを特徴とする、請求項17に記載の基地局。
【請求項１９】
前記非基準セルが追加のHARQ-ACK処理時間を必要としないように構成された場合、前記DRX_OFFSETは、下記の通りであり、
【数５】
2014527776.tif 000021
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項18に記載の基地局。
【請求項２０】
前記非基準セルが追加のHARQ-ACK処理時間を必要とするように構成された場合、前記DRX_OFFSETは、下記の通りであり、
【数６】
2014527776.tif 000022
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項18に記載の基地局。
【請求項２１】
前記第2の計算ユニットが、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの前記境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項19に記載の基地局。
【請求項２２】
前記第2の計算ユニットが、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの前記境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項20に記載の基地局。
【請求項２３】
受信ユニットと、第1の計算ユニットと、第2の計算ユニットとを備え、
前記受信ユニットが、ネットワーク側によって送付されたセルタイミング差情報を受信し、前記セルタイミング差情報を前記第1の計算ユニットに送るように構成され、
前記第1の計算ユニットが、非基準セルの高速共有制御チャネル(HS-SCCH)の受信時点を、前記セルタイミング差情報に従った計算を通して獲得し、前記HS-SCCHの前記受信時点を前記第2の計算ユニットに送るように構成され、
前記第2の計算ユニットが、前記非基準セルの高速専用物理制御チャネル(HS-DPCCH)の境界を、前記HS-SCCHの前記受信時点に従って獲得するように構成されている
ことを特徴とするユーザ機器。
【請求項２４】
前記セルタイミング差情報が、具体的には、
DRX_OFFSETまたはτDIFF  であり、
ここで、前記DRX_OFFSETが、DRXオフセットであり、具体的には、前記非基準セルにおいてUEのチャネルタイミングを計算するために使用されるパラメータであり、単位としてサブフレームを取り、前記τDIFFが、基準セルと前記非基準セルのペアをなす高速物理ダウンリンク共有チャネル(HS-PDSCH)サブフレーム間のタイミング差である
ことを特徴とする、請求項23に記載のユーザ機器。
【請求項２５】
前記第1の計算ユニットが、前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、前記受信時点が、CFN_DRXとS_DRXの組合せであり、
ここで、前記CFN_DRXが、DRXステータスにおける接続フレーム番号であり、前記S_DRXが、前記DRXステータスにおけるサブフレーム番号であり、前記UE_DTX_DRX_Offsetおよび前記UE_DRX cycleが、前記ネットワーク側が前記UEのために構成するDRXパラメータであり、前記UE_DTX_DRX_Offsetが、DRXのパターンとDTXのパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る
ことを特徴とする、請求項24に記載のユーザ機器。
【請求項２６】
前記セルタイミング差情報がτDIFFであり、前記非基準セルが追加のHARQ-ACK処理時間を必要としないように構成された場合、前記DRX_OFFSETは、下記の通りであり、
【数７】
2014527776.tif 000023
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項24に記載のユーザ機器。
【請求項２７】
前記セルタイミング差情報がτDIFFであり、前記非基準セルが追加のHARQ-ACK処理時間を必要とするように構成された場合、前記DRX_OFFSETは、下記の通りであり、
【数８】
2014527776.tif 000024
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項24に記載のユーザ機器。
【請求項２８】
前記第2の計算ユニットが、
前記非基準セルが追加のHARQ-ACK処理時間を必要としないように構成された場合、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するようにさらに構成され、または
前記非基準セルが追加のHARQ-ACK処理時間を必要とするように構成された場合、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項24に記載のユーザ機器。
【請求項２９】
前記第2の計算ユニットが、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項26に記載のユーザ機器。
【請求項３０】
前記第2の計算ユニットが、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項27に記載のユーザ機器。
【請求項３１】
受信機と、プロセッサとを備え、前記受信機の出力端が、前記プロセッサに接続され、
前記受信機が、ネットワーク側によって送付されたセルタイミング差情報を受信し、前記セルタイミング差情報を前記出力端を介して前記プロセッサに送るように構成され、
前記プロセッサが、高速共有制御チャネル(HS-SCCH)の受信時点を、前記セルタイミング差情報に従った計算を通して獲得し、また非基準セルの高速専用物理制御チャネル(HS-DPCCH)の境界情報を、前記HS-SCCHの前記受信時点に従って獲得するように構成されている
ことを特徴とする基地局。
【請求項３２】
前記セルタイミング差情報が、τDIFFであり、前記τDIFFが、基準セルと前記非基準セルのペアをなす高速物理ダウンリンク共有チャネル(HS-PDSCH)サブフレーム間のタイミング差であることを特徴とする、請求項31に記載の基地局。
【請求項３３】
前記プロセッサが、前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、前記受信時点が、CFN_DRXとS_DRXの組合せであり、
ここで、前記CFN_DRXが、DRXステータスにおける接続フレーム番号であり、前記S_DRXが、前記DRXステータスにおけるサブフレーム番号であり、前記UE_DTX_DRX_Offsetおよび前記UE_DRX cycleが、前記ネットワーク側がUEのために構成するDRXパラメータであり、前記UE_DTX_DRX_Offsetが、DRXのパターンとDTXのパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る
ことを特徴とする、請求項32に記載の基地局。
【請求項３４】
前記非基準セルが追加のHARQ-ACK処理時間を必要としないように構成された場合、前記DRX_OFFSETは、下記の通りであり、
【数９】
2014527776.tif 000025
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項33に記載の基地局。
【請求項３５】
前記非基準セルが追加のHARQ-ACK処理時間を必要とするように構成された場合、前記DRX_OFFSETは、下記の通りであり、
【数１０】
2014527776.tif 000026
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項33に記載の基地局。
【請求項３６】
前記プロセッサが、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの前記境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項34に記載の基地局。
【請求項３７】
前記プロセッサが、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの前記境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項35に記載の基地局。
【請求項３８】
アンテナと、プロセッサとを備え、
前記アンテナが、ネットワーク側によって送付されたセルタイミング差情報を受信し、前記セルタイミング差情報を前記プロセッサに送るように構成され、
前記プロセッサが、非基準セルの高速共有制御チャネル(HS-SCCH)の受信時点を、前記セルタイミング差情報に従った計算を通して獲得し、また前記非基準セルの高速専用物理制御チャネル(HS-DPCCH)の境界を、前記HS-SCCHの前記受信時点に従って獲得するように構成されている
ことを特徴とするユーザ機器。
【請求項３９】
前記セルタイミング差情報が、具体的には、
DRX_OFFSETまたはτDIFF  であり、
ここで、前記DRX_OFFSETが、前記非基準セルにおいてUEのチャネルタイミングを計算するために使用されるパラメータであり、前記τDIFFが、基準セルと前記非基準セルのペアをなすHS-PDSCHサブフレーム間のタイミング差である
ことを特徴とする、請求項38に記載のユーザ機器。
【請求項４０】
前記プロセッサが、前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、前記受信時点が、CFN_DRXとS_DRXの組合せであり、
ここで、前記CFN_DRXが、DRXステータスにおける接続フレーム番号であり、前記S_DRXが、前記DRXステータスにおけるサブフレーム番号であり、前記UE_DTX_DRX_Offsetおよび前記UE_DRX cycleが、前記ネットワーク側が前記UEのために構成するDRXパラメータであり、前記UE_DTX_DRX_Offsetが、DRXのパターンとDTXのパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る
ことを特徴とする、請求項39に記載のユーザ機器。
【請求項４１】
前記セルタイミング差情報がτDIFFであり、前記非基準セルが追加のHARQ-ACK処理時間を必要としないように構成された場合、前記DRX_OFFSETは、下記の通りであり、
【数１１】
2014527776.tif 000027
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項40に記載のユーザ機器。
【請求項４２】
前記セルタイミング差情報がτDIFFであり、前記非基準セルが追加のHARQ-ACK処理時間を必要とするように構成された場合、前記DRX_OFFSETは、下記の通りであり、
【数１２】
2014527776.tif 000028
ここで、前記m2が、前記非基準セルのアップリンクDPCCHとアップリンクHS-DPCCHとの間のタイミング差であり、
前記TTX_diff2が、前記非基準セルのF-DPCHとHS-PDSCHとの間のタイミング差であり、前記TTX_diff2と前記m2との間の変換関係が、
m2=(TTX_diff2/256)+101
であることを特徴とする、請求項40に記載のユーザ機器。
【請求項４３】
前記プロセッサが、
前記非基準セルが追加のHARQ-ACK処理時間を必要としないように構成された場合、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するようにさらに構成され、または
前記非基準セルが追加のHARQ-ACK処理時間を必要とするように構成された場合、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項40に記載のユーザ機器。
【請求項４４】
前記プロセッサが、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項41に記載のユーザ機器。
【請求項４５】
前記プロセッサが、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である
ことを特徴とする、請求項42に記載のユーザ機器。
【発明の詳細な説明】
【技術分野】
【０００１】
本発明は、通信の分野に属し、詳細には、チャネル境界を位置付けるための方法、ユーザ端末、および基地局に属する。
【背景技術】
【０００２】
ユニバーサル移動体通信システム(Universal Mobile Telecommunications System、UMTS)技術がリリースRel-11に進化したとき、マルチフロー(Multiflow)機能が導入された。この機能は、同じ周波数または異なる周波数にある複数のセルを、ユーザ機器(User Equipment、UE)の高速ダウンリンク共有チャネル(High-Speed Downlink Shared Channel、HS-DSCH)サービングセルに構成することを可能にし、ユーザエクスペリエンスは、明らかな改善を見ることができる。UMTSのRel-7において、ダウンリンク不連続受信(Discontinuous Reception、DRX)機能が導入され、UEはダウンリンクデータを不連続的に受信することが可能になり、UEの電力消費を節約することができる。マルチフローでは、同じ周波数にある複数のHS-DSCHサービングセルのダウンリンク共通チャネルの間に、何らかのタイミングオフセットが存在することがあり、このタイミングオフセットは、主に、セルに対応する基地局クロックタイミング、セルのタイミングオフセット(Tcell)、およびエアーインタフェース伝送によって引き起こされるタイミング差(Tp)から生じる。
【０００３】
HS-DSCHサービングセルの間のタイミング関係には、具体的には、高速共有制御チャネル(High Speed-Shared Control Channel、HS-SCCH)、高速物理ダウンリンク共有チャネル(High Speed-Physical Downlink Shared Channel、HS-PDSCH)、高速専用物理制御チャネル(High Speed-Dedicated Physical Control Channel、HS-DPCCH)、およびフラクショナル専用物理チャネル(Fractional Dedicated Physical Channel、F-DPCH)を含むことができ、HS-PDSCHは、HSDPAデータ伝送を示すチャネルであり、HS-SCCHは、スケジューリングUEの識別子などのデータ表示情報を運び、HS-PDSCHは、特定のデータ情報を運び、HS-DPCCHは、チャネル状態表示およびデータ受信フィードバック表示情報などの、ダウンリンクデータ用のフィードバック表示情報であり、F-DPCHチャネルは、専用チャネルであり、専用チャネルの電力を制御するため、およびUEのアップリンクチャネルデータ送信電力を制御するために使用される。これらのチャネルの間には、一定のタイミング関係が存在する。セル側から見ると、アップリンクデータを受信するために、HS-DPCCHの開始ポイントを見出す必要がある。プロトコル仕様によれば、セルは、HS-SCCHの開始ポイントに従った境界として、HS-DPCCHの境界を後方に見出す必要があり、HS-DPCCHの境界は、1280チップに最も近い。
【０００４】
一例として単一周波数デュアルセル(Single Frequency Dual Cell、SF-DC)機能を取り上げると、SF-DC機能では、2つのサービングセルが存在し、セルにおけるダウンリンク共通チャネルは、セル間に何らかのタイミング差を有し、2つのセルは、同じ基地局に、または異なる基地局に位置付けることができる。SF-DCでは、UEのダウンリンクは、2つのセルにおいてデータを受信する必要があるが、アップリンクは、ただ一方のセルにおいてデータを送信する必要があり、(クロス基地局(cross-base station)SF-DCシナリオでは)他方のセルも、データを復調する必要があり、このようなわけで、UE側は、ダウンリンクデータによって受信されるサブフレームについてペアリング関係を指定する必要がある。UEの2つのセルは、それぞれ、基準セル(reference cell)および非基準セル(non-reference cell)として、またはタイミング基準セルおよび非タイミング基準セルとして定義することができ、基準セルは、それについてのUEのチャネルタイミングが、Rel-5HSDPAにおけるチャネルタイミングと同じであるセルであり、他方のセルは、非基準セルである。例えば、UEの基準セルのHS-SCCH S_DRX=0は、非基準セルのHS-SCCH S_DRX=0とペアにされ、UEがこれら2つのサブフレームのデータを受信した後、UEは、タイミング基準セルにおける既存のタイミングルールに従って、HS-DPCCHにおいてフィードバックを実行し、HS-DPCCHとHS-SCCHは、一定のタイミング関係を有する。非基準セルの場合、HS-DPCCHの境界は、やはりプロトコルに従って見出されるが、セル間のダウンリンク共通チャネルのタイミング差が理由で、UEまたは非タイミング基準セルがHS-DPCCHの境界を見出すときに、誤りが生じる。UE側は、2つのセルのHS-SCCH S_DRX=0を同時に受信し、一方のHS-DPCCHを介してフィードバックを実行するが、それによって、UEまたは非基準セルにHS-DPCCHの境界を誤って位置付けさせ、最終的に、ダウンリンクデータ伝送性能に影響を与える。
【発明の概要】
【発明が解決しようとする課題】
【０００５】
本発明の実施形態の目的は、チャネル境界を位置付けるための方法を提供することであり、この方法は、非基準セルがHS-DPCCHの境界を誤って位置付け、最終的に、ダウンリンクデータ伝送性能が影響を受ける、既存の技術的解決策における問題を解決することを目的とする。
【課題を解決するための手段】
【０００６】
一態様では、本発明の一実施形態は、チャネル境界を位置付けるための方法を提供し、方法は、
ネットワーク側によって送付されたセルタイミング差情報を、非基準セルの基地局が受信するステップと、
高速共有制御チャネル(HS-SCCH)の受信時点を、セルタイミング差情報に従った計算を通して、非基準セルの基地局が獲得するステップと、
非基準セルの高速専用物理制御チャネル(HS-DPCCH)の境界情報を、HS-SCCHの受信時点に従って、非基準セルの基地局が獲得するステップと
を含む。
【０００７】
任意選択で、セルタイミング差情報は、τDIFFであり、τDIFFは、基準セルと非基準セルのペアをなす高速物理ダウンリンク共有チャネル(HS-PDSCH)サブフレーム間のタイミング差である。
【０００８】
任意選択で、HS-SCCHの受信時点を、セルタイミング差情報に従った計算を通して獲得するステップは、具体的には、
HS-SCCHの受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するステップであって、受信時点は、CFN_DRXとS_DRXの組合せである、ステップを含み、
ここで、CFN_DRXは、DRXステータスにおける接続フレーム番号であり、S_DRXは、DRXステータスにおけるサブフレーム番号であり、UE_DTX_DRX_OffsetおよびUE_DRX cycleは、ネットワーク側がUEのために構成するDRXパラメータであり、UE_DTX_DRX_Offsetは、DRXのパターンとDTXのパターンとの間のオフセットであり、UE_DRX cycleは、DRXステータスのサイクルであり、DRX_OFFSETは、DRXオフセットであり、具体的には、非基準セルにおいてUEのチャネルタイミングを計算するために使用されるパラメータであり、単位としてサブフレームを取る。
【０００９】
任意選択で、非基準セルが追加のHARQ-ACK処理時間を必要としないように構成された場合、DRX_OFFSETは、下記の通りであり、
【００１０】
【数１】
2014527776.tif 000003
【００１１】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００１２】
任意選択で、非基準セルが追加のHARQ-ACK処理時間を必要とするように構成された場合、DRX_OFFSETは、下記の通りであり、
【００１３】
【数２】
2014527776.tif 000004
【００１４】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００１５】
任意選択で、非基準セルのHS-DPCCHの境界情報を、HS-SCCHの受信時点に従って獲得するステップは、具体的には、
HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するステップを含み、ここで、CFN_DRX nにおけるnは、CFN_DRXのシーケンス番号であり、HS-DPCCH CFN_DRX nにおけるnは、HS-DPCCH CFN_DRXのシーケンス番号である。
【００１６】
任意選択で、非基準セルのHS-DPCCHの境界情報を、HS-SCCHの受信時点に従って獲得するステップは、具体的には、
HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するステップを含み、ここで、CFN_DRX nにおけるnは、CFN_DRXのシーケンス番号であり、HS-DPCCH CFN_DRX nにおけるnは、HS-DPCCH CFN_DRXのシーケンス番号である。
【００１７】
別の態様では、チャネル境界を位置付けるための方法がさらに提供され、方法は、
ネットワーク側によって送付されたセルタイミング差情報を、ユーザ機器が受信するステップと、
非基準セルの高速共有制御チャネル(HS-SCCH)の受信時点を、セルタイミング差情報に従った計算を通して、ユーザ機器が獲得するステップと、
非基準セルの高速専用物理制御チャネル(HS-DPCCH)の境界を、HS-SCCHの受信時点に従って、ユーザ機器が獲得するステップと
を含む。
【００１８】
任意選択で、セルタイミング差情報は、具体的には、
DRX_OFFSETまたはτDIFF  であり、
ここで、DRX_OFFSETは、DRXオフセットであり、具体的には、非基準セルにおいてUEのチャネルタイミングを計算するために使用されるパラメータであり、単位としてサブフレームを取り、τDIFFは、基準セルと非基準セルのペアをなす高速物理ダウンリンク共有チャネル(HS-PDSCH)サブフレーム間のタイミング差である。
【００１９】
任意選択で、非基準セルのHS-SCCHの受信時点を、セルタイミング差情報に従った計算を通して、ユーザ機器が獲得するステップは、具体的には、
HS-SCCHの受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するステップであって、受信時点は、CFN_DRXとS_DRXの組合せである、ステップを含み、
ここで、CFN_DRXは、DRXステータスにおける接続フレーム番号であり、S_DRXは、DRXステータスにおけるサブフレーム番号であり、UE_DTX_DRX_OffsetおよびUE_DRX cycleは、ネットワーク側がUEのために構成するDRXパラメータであり、UE_DTX_DRX_Offsetは、DRXのパターンとDTXのパターンとの間のオフセットであり、UE_DRX cycleは、DRXステータスのサイクルであり、DRX_OFFSETは、DRXオフセットであり、具体的には、非基準セルにおいてUEのチャネルタイミングを計算するために使用されるパラメータであり、単位としてサブフレームを取る。
【００２０】
任意選択で、セルタイミング差情報がτDIFFであり、非基準セルが追加のHARQ-ACK処理時間を必要としないように構成された場合、DRX_OFFSETは、下記の通りであり、
【００２１】
【数３】
2014527776.tif 000005
【００２２】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００２３】
任意選択で、セルタイミング差情報がτDIFFであり、非基準セルが追加のHARQ-ACK処理時間を必要とするように構成された場合、DRX_OFFSETは、下記の通りであり、
【００２４】
【数４】
2014527776.tif 000006
【００２５】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００２６】
任意選択で、非基準セルのHS-DPCCHの境界を、HS-SCCHの受信時点に従って、ユーザ機器が獲得するステップは、具体的には、
非基準セルが追加のHARQ-ACK処理時間を必要としないように構成された場合、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するステップを含み、または
非基準セルが追加のHARQ-ACK処理時間を必要とするように構成された場合、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するステップを含み、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００２７】
任意選択で、非基準セルのHS-DPCCHの境界を、HS-SCCHの受信時点に従って、ユーザ機器が獲得するステップは、具体的には、
HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するステップを含み、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００２８】
任意選択で、非基準セルのHS-DPCCHの境界を、HS-SCCHの受信時点に従って、ユーザ機器が獲得するステップは、具体的には、
HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するステップを含み、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００２９】
また別の態様では、本発明は、基地局を提供し、基地局は、受信ユニットと、第1の計算ユニットと、第2の計算ユニットとを含み、
受信ユニットは、ネットワーク側によって送付されたセルタイミング差情報を受信し、セルタイミング差情報を第1の計算ユニットに送るように構成され、
第1の計算ユニットは、高速共有制御チャネル(HS-SCCH)の受信時点を、セルタイミング差情報に従った計算を通して獲得し、HS-SCCHの受信時点を第2の計算ユニットに送るように構成され、
第2の計算ユニットは、非基準セルの高速専用物理制御チャネル(HS-DPCCH)の境界情報を、HS-SCCHの受信時点に従って獲得するように構成されている。
【００３０】
任意選択で、セルタイミング差情報は、τDIFFであり、τDIFFは、基準セルと非基準セルのペアをなす高速物理ダウンリンク共有チャネル(HS-PDSCH)サブフレーム間のタイミング差である。
【００３１】
任意選択で、第1の計算ユニットは、HS-SCCHの受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、受信時点は、CFN_DRXとS_DRXの組合せであり、
ここで、CFN_DRXは、DRXステータスにおける接続フレーム番号であり、S_DRXは、DRXステータスにおけるサブフレーム番号であり、UE_DTX_DRX_OffsetおよびUE_DRX cycleは、ネットワーク側がUEのために構成するDRXパラメータであり、UE_DTX_DRX_Offsetは、DRXのパターンとDTXのパターンとの間のオフセットであり、UE_DRX cycleは、DRXステータスのサイクルであり、DRX_OFFSETは、DRXオフセットであり、具体的には、非基準セルにおいてUEのチャネルタイミングを計算するために使用されるパラメータであり、単位としてサブフレームを取る。
【００３２】
任意選択で、非基準セルが追加のHARQ-ACK処理時間を必要としないように構成された場合、DRX_OFFSETは、下記の通りであり、
【００３３】
【数５】
2014527776.tif 000007
【００３４】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００３５】
任意選択で、非基準セルが追加のHARQ-ACK処理時間を必要とするように構成された場合、DRX_OFFSETは、下記の通りであり、
【００３６】
【数６】
2014527776.tif 000008
【００３７】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００３８】
任意選択で、第2の計算ユニットは、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００３９】
任意選択で、第2の計算ユニットは、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００４０】
次の一態様では、ユーザ機器がさらに提供され、ユーザ機器は、受信ユニットと、第1の計算ユニットと、第2の計算ユニットとを含み、
受信ユニットは、ネットワーク側によって送付されたセルタイミング差情報を受信し、セルタイミング差情報を第1の計算ユニットに送るように構成され、
第1の計算ユニットは、非基準セルの高速共有制御チャネル(HS-SCCH)の受信時点を、セルタイミング差情報に従った計算を通して獲得し、HS-SCCHの受信時点を第2の計算ユニットに送るように構成され、
第2の計算ユニットは、非基準セルの高速専用物理制御チャネル(HS-DPCCH)の境界を、HS-SCCHの受信時点に従って獲得するように構成されている。
【００４１】
任意選択で、セルタイミング差情報は、具体的には、
DRX_OFFSETまたはτDIFF  であり、
ここで、DRX_OFFSETは、DRXオフセットであり、具体的には、非基準セルにおいてUEのチャネルタイミングを計算するために使用されるパラメータであり、単位としてサブフレームを取り、τDIFFは、基準セルと非基準セルのペアをなす高速物理ダウンリンク共有チャネル(HS-PDSCH)サブフレーム間のタイミング差である。
【００４２】
任意選択で、第1の計算ユニットは、HS-SCCHの受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、受信時点は、CFN_DRXとS_DRXの組合せであり、
ここで、CFN_DRXは、DRXステータスにおける接続フレーム番号であり、S_DRXは、DRXステータスにおけるサブフレーム番号であり、UE_DTX_DRX_OffsetおよびUE_DRX cycleは、ネットワーク側がUEのために構成するDRXパラメータであり、UE_DTX_DRX_Offsetは、DRXのパターンとDTXのパターンとの間のオフセットであり、UE_DRX cycleは、DRXステータスのサイクルであり、DRX_OFFSETは、DRXオフセットであり、具体的には、非基準セルにおいてUEのチャネルタイミングを計算するために使用されるパラメータであり、単位としてサブフレームを取る。
【００４３】
任意選択で、セルタイミング差情報がτDIFFであり、非基準セルが追加のHARQ-ACK処理時間を必要としないように構成された場合、DRX_OFFSETは、下記の通りであり、
【００４４】
【数７】
2014527776.tif 000009
【００４５】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００４６】
任意選択で、セルタイミング差情報がτDIFFであり、非基準セルが追加のHARQ-ACK処理時間を必要とするように構成された場合、DRX_OFFSETは、下記の通りであり、
【００４７】
【数８】
2014527776.tif 000010
【００４８】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００４９】
任意選択で、第2の計算ユニットは、
非基準セルが追加のHARQ-ACK処理時間を必要としないように構成された場合、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成され、または
非基準セルが追加のHARQ-ACK処理時間を必要とするように構成された場合、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００５０】
任意選択で、第2の計算ユニットは、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００５１】
任意選択で、第2の計算ユニットは、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００５２】
また別の態様では、基地局が提供され、基地局は、受信機と、プロセッサとを含み、受信機の出力端は、プロセッサに接続され、
受信機は、ネットワーク側によって送付されたセルタイミング差情報を受信し、セルタイミング差情報を出力端を介してプロセッサに送るように構成され、
プロセッサは、高速共有制御チャネル(HS-SCCH)の受信時点を、セルタイミング差情報に従った計算を通して獲得し、また非基準セルの高速専用物理制御チャネル(HS-DPCCH)の境界情報を、HS-SCCHの受信時点に従って獲得するように構成されている。
【００５３】
任意選択で、セルタイミング差情報は、τDIFFであり、τDIFFは、基準セルと非基準セルのペアをなす高速物理ダウンリンク共有チャネル(HS-PDSCH)サブフレーム間のタイミング差である。
【００５４】
任意選択で、プロセッサは、HS-SCCHの受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、受信時点は、CFN_DRXとS_DRXの組合せであり、
ここで、CFN_DRXは、DRXステータスにおける接続フレーム番号であり、S_DRXは、DRXステータスにおけるサブフレーム番号であり、UE_DTX_DRX_OffsetおよびUE_DRX cycleは、ネットワーク側がUEのために構成するDRXパラメータであり、UE_DTX_DRX_Offsetは、DRXのパターンとDTXのパターンとの間のオフセットであり、UE_DRX cycleは、DRXステータスのサイクルであり、DRX_OFFSETは、DRXオフセットであり、具体的には、非基準セルにおいてUEのチャネルタイミングを計算するために使用されるパラメータであり、単位としてサブフレームを取る。
【００５５】
任意選択で、非基準セルが追加のHARQ-ACK処理時間を必要としないように構成された場合、DRX_OFFSETは、下記の通りであり、
【００５６】
【数９】
2014527776.tif 000011
【００５７】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００５８】
任意選択で、非基準セルが追加のHARQ-ACK処理時間を必要とするように構成された場合、DRX_OFFSETは、下記の通りであり、
【００５９】
【数１０】
2014527776.tif 000012
【００６０】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００６１】
任意選択で、プロセッサは、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００６２】
任意選択で、プロセッサは、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００６３】
次の一態様では、ユーザ機器が提供され、ユーザ機器は、アンテナと、プロセッサとを含み、
アンテナは、ネットワーク側によって送付されたセルタイミング差情報を受信し、セルタイミング差情報をプロセッサに送るように構成され、
プロセッサは、非基準セルの高速共有制御チャネル(HS-SCCH)の受信時点を、セルタイミング差情報に従った計算を通して獲得し、また非基準セルの高速専用物理制御チャネル(HS-DPCCH)の境界を、HS-SCCHの受信時点に従って獲得するように構成されている。
【００６４】
任意選択で、セルタイミング差情報は、具体的には、
DRX_OFFSETまたはτDIFF  であり、
ここで、DRX_OFFSETは、非基準セルにおいてUEのチャネルタイミングを計算するために使用されるパラメータであり、τDIFFは、基準セルと非基準セルのペアをなすHS-PDSCHサブフレーム間のタイミング差である。
【００６５】
任意選択で、プロセッサは、HS-SCCHの受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、受信時点は、CFN_DRXとS_DRXの組合せであり、
ここで、CFN_DRXは、DRXステータスにおける接続フレーム番号であり、S_DRXは、DRXステータスにおけるサブフレーム番号であり、UE_DTX_DRX_OffsetおよびUE_DRX cycleは、ネットワーク側がUEのために構成するDRXパラメータであり、UE_DTX_DRX_Offsetは、DRXのパターンとDTXのパターンとの間のオフセットであり、UE_DRX cycleは、DRXステータスのサイクルであり、DRX_OFFSETは、DRXオフセットであり、具体的には、非基準セルにおいてUEのチャネルタイミングを計算するために使用されるパラメータであり、単位としてサブフレームを取る。
【００６６】
任意選択で、セルタイミング差情報がτDIFFであり、非基準セルが追加のHARQ-ACK処理時間を必要としないように構成された場合、DRX_OFFSETは、下記の通りであり、
【００６７】
【数１１】
2014527776.tif 000013
【００６８】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００６９】
任意選択で、セルタイミング差情報がτDIFFであり、非基準セルが追加のHARQ-ACK処理時間を必要とするように構成された場合、DRX_OFFSETは、下記の通りであり、
【００７０】
【数１２】
2014527776.tif 000014
【００７１】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、TTX_diff2とm2との間の変換関係は、
m2=(TTX_diff2/256)+101
である。
【００７２】
任意選択で、プロセッサは、
非基準セルが追加のHARQ-ACK処理時間を必要としないように構成された場合、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成され、または
非基準セルが追加のHARQ-ACK処理時間を必要とするように構成された場合、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００７３】
任意選択で、プロセッサは、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００７４】
任意選択で、プロセッサは、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成され、
ここで、CFN_DRX nにおけるnは、CFN_DRXのシーケンス番号であり、HS-DPCCH CFN_DRX nにおけるnは、HS-DPCCH CFN_DRXのシーケンス番号である。
【発明の効果】
【００７５】
本発明の実施形態では、本発明において提供される技術的解決策は、HS-DPCCHの境界が正確に位置付けられ、それによって、正しいデータ伝送フィードバック情報およびCQI情報を非基準セルが知ることを可能にし、ダウンリンクデータ伝送の信頼性を高めるという利点を有する。
【図面の簡単な説明】
【００７６】
【図１】本発明の特定の一実施形態において提供されるチャネル境界を位置付けるための方法のフローチャートである。
【図２】本発明の特定の一実施形態において提供されるチャネル境界を位置付けるための別の方法のフローチャートである。
【図３】本発明の特定の一実施形態において提供される基地局の構造図である。
【図４】本発明の特定の一実施形態において提供されるユーザ機器の構造図である。
【図５】本発明の特定の一実施形態において提供される別の基地局の構造図である。
【図６】本発明の特定の一実施形態において提供される別のユーザ機器の構造図である。
【発明を実施するための形態】
【００７７】
本発明の目的、技術的解決策、および利点をより理解しやすくするため、下記では、添付の図面および実施形態を参照しながら、本発明をさらに詳細に説明する。本明細書で説明される特定の実施形態は、本発明を説明するためだけに使用され、本発明を限定することを意図していないことが理解できる。
【００７８】
本発明の特定の一実施形態は、チャネル境界を位置付けるための方法を提供し、方法は、非基準セルの基地局によって達成され、方法は、図1に示されるように、下記のステップを含む。
S11:非基準セルの基地局が、ネットワーク側によって送付されたセルタイミング差情報を受信する。
S12:非基準セルの基地局が、HS-SCCHの受信時点を、セルタイミング差情報に従った計算を通して獲得する。
S13:非基準セルの基地局が、非基準セルのHS-DPCCHの境界情報を、HS-SCCHの受信時点に従って獲得する。
【００７９】
本発明の特定の実施形態において提供される方法を用いることで、ネットワーク側によって送付されたセルタイミング時間差情報を通して、非基準セルのHS-DPCCHの境界が調整され、その結果、非基準セルのHS-DPCCHの境界が正確に位置付けられ、それによって、正しいデータ伝送フィードバック情報およびCQI情報を非基準セルが知ることを可能にし、ダウンリンクデータ伝送の信頼性を高める。
【００８０】
S11におけるセルタイミング差情報は、具体的には、τDIFFとすることができ、τDIFFは、基準セルと非基準セルのペアをなすHS-PDSCHサブフレーム間のタイミング差であることに留意されたい。
【００８１】
S12を実施するための方法は、具体的には、HS-SCCHの受信時点を、下記の式1.1、すなわち、
((5*CFN_DRX-UE_DTX_DRX_Offset+S_DRX+DRX_OFFSET)MOD UE_DRX cycle)=0  式1.1
に従って決定するステップであって、受信時点は、CFN_DRXとS_DRXの組合せである、ステップとすることができ、
ここで、CFN_DRXは、DRXステータスにおける接続フレーム番号であり、S_DRXは、DRXステータスにおけるサブフレーム番号であり、UE_DTX_DRX_OffsetおよびUE_DRX cycleは、ネットワーク側がUEのために構成するDRXパラメータであり、UE_DTX_DRX_Offsetは、DRXのパターンとDTXのパターンとの間のオフセットであり、UE_DRX cycleは、DRXステータスのサイクルであり、DRX_OFFSETは、DRXオフセットであり、具体的には、非基準セルにおいてUEのチャネルタイミングを計算するために使用されるパラメータであり、単位としてサブフレームを取る。
【００８２】
本発明の実施形態の式1.1から式1.9におけるパラメータの意味については、3GPP25.214における定義を参照できることにさらに留意されたい。
【００８３】
DRX_OFFSETを計算するための方法は、下記の通りとすることができることに留意されたい。
非基準セルが追加のHARQ-ACK処理時間を必要としないように構成された場合、DRX_OFFSETを計算するための方法は、下記の通りとすることができ、
【００８４】
【数１３】
2014527776.tif 000015
【００８５】
ここで、m2は、非基準セルのアップリンクDPCCHとアップリンクHS-DPCCHとの間のタイミング差であり、
TTX_diff2は、非基準セルのF-DPCHとHS-PDSCHとの間のタイミング差であり、このパラメータの値とm2との間の変換関係は、
m2=(TTX_diff2/256)+101
である。
【００８６】
非基準セルが追加のHARQ-ACK処理時間を必要とするように構成された場合、DRX_OFFSETを計算するための方法は、下記の通りとすることができる。
【００８７】
【数１４】
2014527776.tif 000016
【００８８】
任意選択で、S13を実施するための特定の方法は、
(1)非基準セルが追加のHARQ-ACK処理時間を必要としないように構成された場合、
HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するステップとすることができ、または
(2)非基準セルが追加のHARQ-ACK処理時間を必要とするように構成された場合、
HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するステップとすることができる。
【００８９】
1280-τDIFFチップが正の値である場合、計算は、無線フレーム開始ポイントから開始して後方に実行され、1280-τDIFFチップが負の値である場合、計算は、無線フレーム開始ポイントから開始して前方に実行されることに留意されたく、
ここで、CFN_DRX nにおけるnは、CFN_DRXのシーケンス番号であり、HS-DPCCH CFN_DRX nにおけるnは、HS-DPCCH CFN_DRXのシーケンス番号である。
【００９０】
本発明の特定の一実施形態は、チャネル境界を位置付けるための方法をさらに提供し、方法は、図2に示されるように、下記のステップを含む。
S21:UEが、ネットワーク側によって送付されたセルタイミング差情報を受信する。
S22:UEが、非基準セルのHS-SCCHの受信時点を、セルタイミング差情報に従った計算を通して獲得する。
S23:UEが、非基準セルのHS-DPCCHの境界を、HS-SCCHの受信時点に従って獲得する。
【００９１】
本発明の特定の実施形態において提供される方法を用いることで、ネットワーク側によって送付されたセルタイミング差情報を通して、非基準セルのHS-DPCCHの境界が調整され、その結果、非基準セルのHS-DPCCHの境界が正確に位置付けられ、それによって、正しいデータ伝送フィードバック情報およびCQI情報を非基準セルが知ることを可能にし、ダウンリンクデータ伝送の信頼性を高める。
【００９２】
任意選択で、セルタイミング差情報は、具体的には、DRX_OFFSETとすることができる。明確には、実際の適用例では、セルタイミング差情報は、具体的には、τDIFFとすることもできる。
【００９３】
セルタイミング差情報がDRX_OFFSETである場合、S22を実施するための方法は、具体的には、
非基準セルのHS-SCCHの受信時点を、式1.1に従った計算を通して獲得するステップ
とすることができる。
【００９４】
S23を実施するための方法は、具体的には、
(1)非基準セルが追加のHARQ-ACK処理時間を必要としないように構成された場合、
HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するステップとすることができ、または
(2)非基準セルが追加のHARQ-ACK処理時間を必要とするように構成された場合、
HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するステップとすることができる。
【００９５】
1280-τDIFFチップが正の値である場合、計算は、無線フレーム開始ポイントから開始して後方に実行され、1280-τDIFFチップが負の値である場合、計算は、無線フレーム開始ポイントから開始して前方に実行されることに留意されたい。
【００９６】
式1.2から式1.9に従った計算を通して、τDIFFを獲得することができ、この場合の唯一の相違は、式1.2から式1.9におけるDRX_OFFSETは既知の値であり、τDIFFは計算する必要があることであることに留意されたい。
【００９７】
セルタイミング差情報がDRX_OFFSETである場合、S22を実施するための方法は、具体的には、
非基準セルのHS-SCCHの受信時点を、式1.1に従った計算を通して獲得するステップであって、DRX_OFFSETを計算するために、式1.2から式1.9を参照できるステップとすることができる。
【００９８】
S23を実施するための方法は、具体的には、
(1)非基準セルが追加のHARQ-ACK処理時間を必要としないように構成された場合、
HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するステップとすることができ、または
(2)非基準セルが追加のHARQ-ACK処理時間を必要とするように構成された場合、
HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するステップとすることができる。
【００９９】
1280-τDIFFチップが正の値である場合、計算は、無線フレーム開始ポイントから開始して後方に実行され、1280-τDIFFチップが負の値である場合、計算は、無線フレーム開始ポイントから開始して前方に実行されることに留意されたい。
【０１００】
本発明の特定の一実施形態は、基地局をさらに提供し、基地局は、図3に示されるように、受信ユニット31と、第1の計算ユニット32と、第2の計算ユニット33とを含み、
受信ユニット31は、ネットワーク側によって送付されたセルタイミング差情報を受信し、セルタイミング差情報を第1の計算ユニット32に送るように構成され、
第1の計算ユニット32は、HS-SCCHの受信時点を、セルタイミング差情報に従った計算を通して獲得し、HS-SCCHの受信時点を第2の計算ユニット33に送るように構成され、
第2の計算ユニット33は、非基準セルのHS-DPCCHの境界情報を、HS-SCCHの受信時点に従って獲得するように構成されている。
【０１０１】
任意選択で、セルタイミング差情報は、τDIFFであり、τDIFFは、基準セルと非基準セルのペアをなすHS-PDSCHサブフレーム間のタイミング差である。
【０１０２】
任意選択で、第1の計算ユニットは、HS-SCCHの受信時点を、式1.1に従った計算を通して獲得するようにさらに構成されている。
【０１０３】
任意選択で、非基準セルが追加のHARQ-ACK処理時間を必要としないように構成された場合、DRX_OFFSETを計算するための方法については、式1.2から式1.5の説明を参照することができるが、それについて本明細書で再び説明はしない。
【０１０４】
任意選択で、非基準セルが追加のHARQ-ACK処理時間を必要とするように構成された場合、DRX_OFFSETを計算するための方法については、式1.6から式1.9の説明を参照することができるが、それについて本明細書で再び説明はしない。
【０１０５】
任意選択で、非基準セルが追加のHARQ-ACK処理時間を必要としないように構成された場合、第2の計算ユニット33は、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成されている。
【０１０６】
任意選択で、非基準セルが追加のHARQ-ACK処理時間を必要とするように構成された場合、第2の計算ユニット33は、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成されている。
【０１０７】
本発明の特定の実施形態において提供される基地局を用いることで、ネットワーク側によって送付されたセルタイミング時間差情報を通して、非基準セルのHS-DPCCHの境界が調整され、その結果、非基準セルのHS-DPCCHの境界が正確に位置付けられ、それによって、正しいデータ伝送フィードバック情報およびCQI情報を非基準セルが知ることを可能にし、ダウンリンクデータ伝送の信頼性を高める。
【０１０８】
本発明の特定の一実施形態は、ユーザ機器をさらに提供し、ユーザ機器は、図4に示されるように、受信ユニット41と、第1の計算ユニット42と、第2の計算ユニット43とを含み、
受信ユニット41は、ネットワーク側によって送付されたセルタイミング差情報を受信し、セルタイミング差情報を第1の計算ユニット42に送るように構成され、
第1の計算ユニット42は、非基準セルのHS-SCCHの受信時点を、セルタイミング差情報に従った計算を通して獲得し、HS-SCCHの受信時点を第2の計算ユニット43に送るように構成され、
第2の計算ユニット43は、非基準セルのHS-DPCCHの境界を、HS-SCCHの受信時点に従って獲得するように構成されている。
【０１０９】
任意選択で、セルタイミング差情報は、具体的には、
DRX_OFFSETまたはτDIFF  であり、
ここで、DRX_OFFSETは、非基準セルにおいてUEのチャネルタイミングを計算するために使用されるパラメータであり、τDIFFは、基準セルと非基準セルのペアをなすHS-PDSCHサブフレーム間のタイミング差である。
【０１１０】
任意選択で、第1の計算ユニット42は、HS-SCCHの受信時点を、式1.1に従った計算を通して獲得するようにさらに構成されている。
【０１１１】
任意選択で、セルタイミング差情報がτDIFFであり、非基準セルが追加のHARQ-ACK処理時間を必要としないように構成された場合、DRX_OFFSETを計算するための方法については、式1.2から式1.5を具体的に参照することができる。
【０１１２】
任意選択で、セルタイミング差情報がτDIFFであり、非基準セルが追加のHARQ-ACK処理時間を必要とするように構成された場合、DRX_OFFSETを計算するための方法については、式1.6から式1.9を参照することができる。
【０１１３】
任意選択で、第2の計算ユニット43は、
非基準セルが追加のHARQ-ACK処理時間を必要としないように構成された場合、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成され、または
非基準セルが追加のHARQ-ACK処理時間を必要とするように構成された場合、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成されている。
【０１１４】
セルタイミング差情報が具体的にはDRX_OFFSETである場合、τDIFFは、式1.2から式1.9に従った計算を通して獲得できることにさらに留意されたい。
【０１１５】
任意選択で、非基準セルが追加のHARQ-ACK処理時間を必要としないように構成された場合、第2の計算ユニット43は、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成されている。
【０１１６】
任意選択で、非基準セルが追加のHARQ-ACK処理時間を必要とするように構成された場合、第2の計算ユニット43は、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成されている。
【０１１７】
本発明の特定の実施形態は、基地局をさらに提供し、基地局は、図5に示されるように、受信機51と、プロセッサ52とを含み、受信機51の出力端は、プロセッサ52に接続され、
受信機51は、ネットワーク側によって送付されたセルタイミング差情報を受信し、セルタイミング差情報を出力端を介してプロセッサ52に送るように構成され、
プロセッサ52は、HS-SCCHの受信時点を、セルタイミング差情報に従った計算を通して獲得し、また非基準セルのHS-DPCCHの境界情報を、HS-SCCHの受信時点に従って獲得するように構成されている。
【０１１８】
任意選択で、セルタイミング差情報は、τDIFFであり、τDIFFは、基準セルと非基準セルのペアをなすHS-PDSCHサブフレーム間のタイミング差である。
【０１１９】
任意選択で、プロセッサ52は、HS-SCCHの受信時点を、式1.1に従った計算を通して獲得するようにさらに構成されている。
【０１２０】
任意選択で、非基準セルが追加のHARQ-ACK処理時間を必要としないように構成された場合、DRX_OFFSETを計算するための方法については、式1.2から式1.5を参照することができる。
【０１２１】
任意選択で、非基準セルが追加のHARQ-ACK処理時間を必要とするように構成された場合、DRX_OFFSETを計算するための方法については、式1.6から式1.9を参照することができる。
【０１２２】
任意選択で、非基準セルが追加のHARQ-ACK処理時間を必要としないように構成された場合、プロセッサ52は、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成されている。
【０１２３】
任意選択で、非基準セルが追加のHARQ-ACK処理時間を必要とするように構成された場合、プロセッサ52は、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成されている。
【０１２４】
本発明の特定の実施形態は、ユーザ機器をさらに提供し、ユーザ機器は、図6に示されるように、アンテナ61と、プロセッサ62とを含み、
アンテナ61は、ネットワーク側によって送付されたセルタイミング差情報を受信し、セルタイミング差情報をプロセッサ62に送るように構成され、
プロセッサ62は、非基準セルのHS-SCCHの受信時点を、セルタイミング差情報に従った計算を通して獲得し、また非基準セルのHS-DPCCHの境界を、HS-SCCHの受信時点に従って獲得するように構成されている。
【０１２５】
任意選択で、セルタイミング差情報は、具体的には、
DRX_OFFSETまたはτDIFF  であり、
ここで、DRX_OFFSETは、非基準セルにおいてUEのチャネルタイミングを計算するために使用されるパラメータであり、τDIFFは、基準セルと非基準セルのペアをなすHS-PDSCHサブフレーム間のタイミング差である。
【０１２６】
任意選択で、プロセッサ62は、HS-SCCHの受信時点を、式1.1に従った計算を通して獲得するようにさらに構成されている。
【０１２７】
任意選択で、セルタイミング差情報がτDIFFであり、非基準セルが追加のHARQ-ACK処理時間を必要としないように構成された場合、DRX_OFFSETを計算するための方法については、式1.2から式1.5を参照することができる。
【０１２８】
任意選択で、セルタイミング差情報がτDIFFであり、非基準セルが追加のHARQ-ACK処理時間を必要とするように構成された場合、DRX_OFFSETを計算するための方法については、式1.6から式1.9を具体的に参照することができる。
【０１２９】
任意選択で、プロセッサ62は、
非基準セルが追加のHARQ-ACK処理時間を必要としないように構成された場合、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成され、または
非基準セルが追加のHARQ-ACK処理時間を必要とするように構成された場合、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成されている。
【０１３０】
任意選択で、非基準セルが追加のHARQ-ACK処理時間を必要としないように構成された場合、プロセッサ62は、HS-SCCHの受信時点後、すなわち、HS-SCCHのCFN_DRX n無線フレーム開始ポイント後、1280-τDIFFチップの時間に最も近いHS-DPCCHサブフレームの境界情報を、HS-DPCCHの境界情報、すなわち、HS-DPCCH CFN_DRX nとして決定するようにさらに構成されている。
【０１３１】
任意選択で、非基準セルが追加のHARQ-ACK処理時間を必要とするように構成された場合、プロセッサ62は、HS-SCCHの受信時点後、すなわち、HS-SCCHのCFN_DRX n無線フレーム開始ポイント後、1280+τDIFFチップの時間に最も近いHS-DPCCHサブフレームの境界情報を、HS-DPCCHの境界情報、すなわち、HS-DPCCH CFN_DRX nとして決定するようにさらに構成されている。
【０１３２】
上述のユニットおよびシステムの実施形態では、含まれるモジュールまたはユニットは、もっぱら機能的ロジックに従って分類されているが、対応する機能を実施できる限り、上述の分類に限定されるものではなく、加えて、様々な機能モジュールの特定の名前は、互いを区別することを意図しており、本発明の保護範囲を限定することは意図していない。
【０１３３】
本発明の実施形態において提供される技術的解決策のステップの全部または一部は、関連するハードウェアに命令するプログラムによって実施できること、例えば、プログラムを実行するコンピュータによって実施できることが当業者には理解できよう。プログラムは、ランダムアクセスメモリ、磁気ディスク、または光ディスクなどの、可読記憶媒体に記憶することができる。
【０１３４】
上述の説明は、本発明の例示的な実施形態であるにすぎず、本発明を限定することは意図していない。本発明の主旨および原理の範囲内で行われる任意の変更、等価な置換、または改良はすべて、本発明の保護範囲内に包含されるものとする。
【符号の説明】
【０１３５】
31  受信ユニット
32  第1の計算ユニット
33  第2の計算ユニット
41  受信ユニット
42  第1の計算ユニット
43  第2の計算ユニット
51  受信機
52  プロセッサ
61  アンテナ
62  プロセッサ
【図１】
2014527776.tif 000029
【図２】
2014527776.tif 000030
【図３】
2014527776.tif 000031
【図４】
2014527776.tif 000032
【図５】
2014527776.tif 000033
【図６】
2014527776.tif 000034
【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
チャネル境界を位置付けるための方法において、
ネットワークによって送付されたセルタイミング差情報を、非基準セルの基地局が受信するステップと、
高速共有制御チャネル(HS-SCCH)の受信時点を、前記セルタイミング差情報に従った計算を通して、前記非基準セルの前記基地局が獲得するステップと、
前記非基準セルの高速専用物理制御チャネル(HS-DPCCH)の境界情報を、前記HS-SCCHの前記受信時点に従って、前記非基準セルの前記基地局が獲得するステップと
を含むことを特徴とする方法。
【請求項２】
前記セルタイミング差情報が、τDIFFであり、前記τDIFFが、基準セルと前記非基準セルのペアをなす高速物理ダウンリンク共有チャネル(HS-PDSCH)サブフレーム間のタイミング差である、請求項1に記載の方法。
【請求項３】
前記HS-SCCHの前記受信時点を、前記セルタイミング差情報に従った前記計算を通して前記獲得するステップが、具体的には、
前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するステップであって、前記受信時点が、CFN_DRXとS_DRXの組合せである、ステップを含み、
ここで、前記CFN_DRXが、不連続受信(DRX)ステータスにおける接続フレーム番号であり、前記S_DRXが、前記DRXステータスにおけるサブフレーム番号であり、前記UE_DTX_DRX_Offsetおよび前記UE_DRX cycleが、前記ネットワークがユーザ機器(UE)のために構成するDRXパラメータであり、前記UE_DTX_DRX_Offsetが、DRXのパターンと不連続送信(DTX)のパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る、
請求項2に記載の方法。
【請求項４】
前記非基準セルが追加のハイブリッド自動再送要求-肯定応答(HARQ-ACK)処理時間を必要としないように構成された場合、前記DRX_OFFSETは、下記の通りであり、
【数１】
2014527776.tif 000035
ここで、前記m2が、前記非基準セルのアップリンク専用物理制御チャネル(DPCCH)とアップリンクHS-DPCCHとの間のタイミング差であり、
前記TTX_diff2が、前記非基準セルのフラクショナル専用物理チャネル(F-DPCH)と高速物理ダウンリンク共有チャネル(HS-PDSCH)との間のタイミング差であり、前記TTX_diff2と前記m2との間の変換関係が、
m2=(TTX_diff2/256)+101
である、請求項3に記載の方法。
【請求項５】
前記非基準セルが追加のハイブリッド自動再送要求-肯定応答(HARQ-ACK)処理時間を必要とするように構成された場合、前記DRX_OFFSETは、下記の通りであり、
【数２】
2014527776.tif 000036
ここで、前記m2が、前記非基準セルのアップリンク専用物理制御チャネル(DPCCH)とアップリンクHS-DPCCHとの間のタイミング差であり、
前記TTX_diff2が、前記非基準セルのフラクショナル専用物理チャネル(F-DPCH)と高速物理ダウンリンク共有チャネル(HS-PDSCH)との間のタイミング差であり、前記TTX_diff2と前記m2との間の変換関係が、
m2=(TTX_diff2/256)+101
である、請求項3に記載の方法。
【請求項６】
前記非基準セルの前記HS-DPCCHの前記境界情報を、前記HS-SCCHの前記受信時点に従って前記獲得するステップが、具体的には、
前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの前記境界情報、すなわち、HS-DPCCH CFN_DRX nとして決定するステップを含み、ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項4に記載の方法。
【請求項７】
前記非基準セルの前記HS-DPCCHの前記境界情報を、前記HS-SCCHの前記受信時点に従って前記獲得するステップが、具体的には、
前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの前記境界情報、すなわち、HS-DPCCH CFN_DRX nとして決定するステップを含み、ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項5に記載の方法。
【請求項８】
チャネル境界を位置付けるための方法において、
ネットワークによって送付されたセルタイミング差情報を、ユーザ機器が受信するステップと、
非基準セルの高速共有制御チャネル(HS-SCCH)の受信時点を、前記セルタイミング差情報に従った計算を通して、前記ユーザ機器が獲得するステップと、
前記非基準セルの高速専用物理制御チャネル(HS-DPCCH)の境界を、前記HS-SCCHの前記受信時点に従って、前記ユーザ機器が獲得するステップと
を含むことを特徴とする方法。
【請求項９】
前記セルタイミング差情報が、具体的には、
DRX_OFFSETまたはτDIFF  であり、
ここで、前記DRX_OFFSETが、不連続受信(DRX)オフセットであり、具体的には、前記非基準セルにおいてユーザ機器(UE)のチャネルタイミングを計算するために使用されるパラメータであり、単位としてサブフレームを取り、前記τDIFFが、基準セルと前記非基準セルのペアをなす高速物理ダウンリンク共有チャネル(HS-PDSCH)サブフレーム間のタイミング差である、
請求項8に記載の方法。
【請求項１０】
前記非基準セルの前記HS-SCCHの前記受信時点を、前記セルタイミング差情報に従った前記計算を通して、前記ユーザ機器が前記獲得するステップが、具体的には、
前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するステップであって、前記受信時点が、CFN_DRXとS_DRXの組合せである、ステップを含み、
ここで、前記CFN_DRXが、不連続受信(DRX)ステータスにおける接続フレーム番号であり、前記S_DRXが、前記DRXステータスにおけるサブフレーム番号であり、前記UE_DTX_DRX_Offsetおよび前記UE_DRX cycleが、前記ネットワークが前記UEのために構成するDRXパラメータであり、前記UE_DTX_DRX_Offsetが、DRXのパターンと不連続送信(DTX)のパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る、
請求項9に記載の方法。
【請求項１１】
前記セルタイミング差情報がτDIFFであり、前記非基準セルが追加のハイブリッド自動再送要求-肯定応答(HARQ-ACK)処理時間を必要としないように構成された場合、前記DRX_OFFSETは、下記の通りであり、
【数３】
2014527776.tif 000037
ここで、前記m2が、前記非基準セルのアップリンク専用物理制御チャネル(DPCCH)とアップリンクHS-DPCCHとの間のタイミング差であり、
前記TTX_diff2が、前記非基準セルのフラクショナル専用物理チャネル(F-DPCH)と高速物理ダウンリンク共有チャネル(HS-PDSCH)との間のタイミング差であり、前記TTX_diff2と前記m2との間の変換関係が、
m2=(TTX_diff2/256)+101
である、請求項9に記載の方法。
【請求項１２】
前記セルタイミング差情報がτDIFFであり、前記非基準セルが追加のハイブリッド自動再送要求-肯定応答(HARQ-ACK)処理時間を必要とするように構成された場合、前記DRX_OFFSETは、下記の通りであり、
【数４】
2014527776.tif 000038
ここで、前記m2が、前記非基準セルのアップリンク専用物理制御チャネル(DPCCH)とアップリンクHS-DPCCHとの間のタイミング差であり、
前記TTX_diff2が、前記非基準セルのフラクショナル専用物理チャネル(F-DPCH)と高速物理ダウンリンク共有チャネル(HS-PDSCH)との間のタイミング差であり、前記TTX_diff2と前記m2との間の変換関係が、
m2=(TTX_diff2/256)+101
である、請求項9に記載の方法。
【請求項１３】
前記非基準セルの前記HS-DPCCHの前記境界を、前記HS-SCCHの前記受信時点に従って、前記ユーザ機器が前記獲得するステップが、具体的には、
前記非基準セルが追加のハイブリッド自動再送要求-肯定応答(HARQ-ACK)処理時間を必要としないように構成された場合、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するステップを含み、または
前記非基準セルが追加のHARQ-ACK処理時間を必要とするように構成された場合、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するステップを含み、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項10に記載の方法。
【請求項１４】
前記非基準セルの前記HS-DPCCHの前記境界を、前記HS-SCCHの前記受信時点に従って、前記ユーザ機器が前記獲得するステップが、具体的には、
前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するステップを含み、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項11に記載の方法。
【請求項１５】
前記非基準セルの前記HS-DPCCHの前記境界を、前記HS-SCCHの前記受信時点に従って、前記ユーザ機器が前記獲得するステップが、具体的には、
前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するステップを含み、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項12に記載の方法。
【請求項１６】
受信機と、プロセッサとを備え、
前記受信機が、ネットワークによって送付されたセルタイミング差情報を受信するように構成され、
前記プロセッサが、高速共有制御チャネル(HS-SCCH)の受信時点を、前記セルタイミング差情報に従った計算を通して獲得し、また非基準セルの高速専用物理制御チャネル(HS-DPCCH)の境界情報を、前記HS-SCCHの前記受信時点に従って獲得するように構成されている
ことを特徴とする基地局。
【請求項１７】
前記セルタイミング差情報が、τDIFFであり、前記τDIFFが、基準セルと前記非基準セルのペアをなす高速物理ダウンリンク共有チャネル(HS-PDSCH)サブフレーム間のタイミング差である、請求項16に記載の基地局。
【請求項１８】
前記プロセッサが、前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、前記受信時点が、CFN_DRXとS_DRXの組合せであり、
ここで、前記CFN_DRXが、不連続受信(DRX)ステータスにおける接続フレーム番号であり、前記S_DRXが、前記DRXステータスにおけるサブフレーム番号であり、前記UE_DTX_DRX_Offsetおよび前記UE_DRX cycleが、前記ネットワークがユーザ機器(UE)のために構成するDRXパラメータであり、前記UE_DTX_DRX_Offsetが、DRXのパターンと不連続送信(DTX)のパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る、
請求項17に記載の基地局。
【請求項１９】
前記非基準セルが追加のハイブリッド自動再送要求-肯定応答(HARQ-ACK)処理時間を必要としないように構成された場合、前記DRX_OFFSETは、下記の通りであり、
【数５】
2014527776.tif 000039
ここで、前記m2が、前記非基準セルのアップリンク専用物理制御チャネル(DPCCH)とアップリンクHS-DPCCHとの間のタイミング差であり、
前記TTX_diff2が、前記非基準セルのフラクショナル専用物理チャネル(F-DPCH)と高速物理ダウンリンク共有チャネル(HS-PDSCH)との間のタイミング差であり、前記TTX_diff2と前記m2との間の変換関係が、
m2=(TTX_diff2/256)+101
である、請求項18に記載の基地局。
【請求項２０】
前記非基準セルが追加のハイブリッド自動再送要求-肯定応答(HARQ-ACK)処理時間を必要とするように構成された場合、前記DRX_OFFSETは、下記の通りであり、
【数６】
2014527776.tif 000040
ここで、前記m2が、前記非基準セルのアップリンク専用物理制御チャネル(DPCCH)とアップリンクHS-DPCCHとの間のタイミング差であり、
前記TTX_diff2が、前記非基準セルのフラクショナル専用物理チャネル(F-DPCH)と高速物理ダウンリンク共有チャネル(HS-PDSCH)との間のタイミング差であり、前記TTX_diff2と前記m2との間の変換関係が、
m2=(TTX_diff2/256)+101
である、請求項18に記載の基地局。
【請求項２１】
前記プロセッサが、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの前記境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項19に記載の基地局。
【請求項２２】
前記プロセッサが、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの前記境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項20に記載の基地局。
【請求項２３】
アンテナと、プロセッサとを備え、
前記アンテナが、ネットワークによって送付されたセルタイミング差情報を受信し、前記セルタイミング差情報を前記プロセッサに送るように構成され、
前記プロセッサが、非基準セルの高速共有制御チャネル(HS-SCCH)の受信時点を、前記セルタイミング差情報に従った計算を通して獲得し、また前記非基準セルの高速専用物理制御チャネル(HS-DPCCH)の境界を、前記HS-SCCHの前記受信時点に従って獲得するように構成されている
ことを特徴とするユーザ機器。
【請求項２４】
前記セルタイミング差情報が、具体的には、
DRX_OFFSETまたはτDIFF  であり、
ここで、前記DRX_OFFSETが、前記非基準セルにおいてユーザ機器(UE)のチャネルタイミングを計算するために使用されるパラメータであり、前記τDIFFが、基準セルと前記非基準セルのペアをなす高速物理ダウンリンク共有チャネル(HS-PDSCH)サブフレーム間のタイミング差である、
請求項23に記載のユーザ機器。
【請求項２５】
前記プロセッサが、前記HS-SCCHの前記受信時点を、式1.1、すなわち、
((5*CFN_DRX-UE_DTX_DRX_Offset+S_DRX+DRX_OFFSET)MOD UE_DRX cycle)=0  式1.1
に従った計算を通して獲得するようにさらに構成され、前記受信時点が、CFN_DRXとS_DRXの組合せであり、
ここで、前記CFN_DRXが、不連続受信(DRX)ステータスにおける接続フレーム番号であり、前記S_DRXが、前記DRXステータスにおけるサブフレーム番号であり、前記UE_DTX_DRX_Offsetおよび前記UE_DRX cycleが、前記ネットワークが前記UEのために構成するDRXパラメータであり、前記UE_DTX_DRX_Offsetが、DRXのパターンと不連続送信(DTX)のパターンとの間のオフセットであり、前記UE_DRX cycleが、前記DRXステータスのサイクルであり、前記DRX_OFFSETが、DRXオフセットであり、具体的には、前記非基準セルにおいて前記UEのチャネルタイミングを計算するために使用されるパラメータであり、単位としてサブフレームを取る、
請求項24に記載のユーザ機器。
【請求項２６】
前記セルタイミング差情報がτDIFFであり、前記非基準セルが追加のハイブリッド自動再送要求-肯定応答(HARQ-ACK)処理時間を必要としないように構成された場合、前記DRX_OFFSETは、下記の通りであり、
【数７】
2014527776.tif 000041
ここで、前記m2が、前記非基準セルのアップリンク専用物理制御チャネル(DPCCH)とアップリンクHS-DPCCHとの間のタイミング差であり、
前記TTX_diff2が、前記非基準セルのフラクショナル専用物理チャネル(F-DPCH)と高速物理ダウンリンク共有チャネル(HS-PDSCH)との間のタイミング差であり、前記TTX_diff2と前記m2との間の変換関係が、
m2=(TTX_diff2/256)+101
である、請求項25に記載のユーザ機器。
【請求項２７】
前記セルタイミング差情報がτDIFFであり、前記非基準セルが追加のハイブリッド自動再送要求-肯定応答(HARQ-ACK)処理時間を必要とするように構成された場合、前記DRX_OFFSETは、下記の通りであり、
【数８】
2014527776.tif 000042
ここで、前記m2が、前記非基準セルのアップリンク専用物理制御チャネル(DPCCH)とアップリンクHS-DPCCHとの間のタイミング差であり、
前記TTX_diff2が、前記非基準セルのフラクショナル専用物理チャネル(F-DPCH)と高速物理ダウンリンク共有チャネル(HS-PDSCH)との間のタイミング差であり、前記TTX_diff2と前記m2との間の変換関係が、
m2=(TTX_diff2/256)+101
である、請求項25に記載のユーザ機器。
【請求項２８】
前記プロセッサが、
前記非基準セルが追加のハイブリッド自動再送要求-肯定応答(HARQ-ACK)処理時間を必要としないように構成された場合、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するようにさらに構成され、または
前記非基準セルが追加のHARQ-ACK処理時間を必要とするように構成された場合、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項25に記載のユーザ機器。
【請求項２９】
前記プロセッサが、前記HS-SCCHの前記受信時点後、すなわち、前記HS-SCCHのCFN_DRX n無線フレーム開始ポイント後、1280-τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項26に記載のユーザ機器。
【請求項３０】
前記プロセッサが、前記HS-SCCHの前記受信時点後、すなわち、前記HS-SCCHのCFN_DRX n無線フレーム開始ポイント後、1280+τDIFFチップの時間に最も近いHS-DPCCHサブフレームの境界情報を、前記HS-DPCCHの境界情報、すなわち、HS-DPCCH CFN_DRX nとして決定するようにさらに構成され、
ここで、前記CFN_DRX nにおけるnが、前記CFN_DRXのシーケンス番号であり、前記HS-DPCCH CFN_DRX nにおけるnが、前記HS-DPCCH CFN_DRXのシーケンス番号である、
請求項27に記載のユーザ機器。
【手続補正２】
【補正対象書類名】明細書
【補正対象項目名】０００３
【補正方法】変更
【補正の内容】
【０００３】
HS-DSCHサービングセルの間のタイミング関係には、具体的には、高速共有制御チャネル(High Speed-Shared Control Channel、HS-SCCH)、高速物理ダウンリンク共有チャネル(High Speed-Physical Downlink Shared Channel、HS-PDSCH)、高速専用物理制御チャネル(High Speed-Dedicated Physical Control Channel、HS-DPCCH)、およびフラクショナル専用物理チャネル(Fractional Dedicated Physical Channel、F-DPCH)を含むことができ、HS-PDSCHは、HSDPAデータ伝送を示すチャネルでありHS-SCCHは、スケジューリングUEの識別子などのデータ表示情報を運び、HS-PDSCHは、特定のデータ情報を運び、HS-DPCCHは、チャネル状態表示およびデータ受信フィードバック表示情報などの、ダウンリンクデータ用のフィードバック表示情報を運び、F-DPCHチャネルは、専用チャネルであり、専用チャネルの電力を制御するため、およびUEのアップリンクチャネルデータ送信電力を制御するために使用される。これらのチャネルの間には、一定のタイミング関係が存在する。セルから見ると、アップリンクデータを受信するために、HS-DPCCHの開始ポイントを見出す必要がある。プロトコル仕様によれば、セルは、HS-SCCHの開始ポイントに従った境界として、HS-DPCCHの境界を後方に見出す必要があり、HS-DPCCHの境界は、1280チップに最も近い。
【手続補正３】
【補正対象書類名】明細書
【補正対象項目名】０００４
【補正方法】変更
【補正の内容】
【０００４】
一例として単一周波数デュアルセル(Single Frequency Dual Cell、SF-DC)機能を取り上げると、SF-DC機能では、2つのサービングセルが存在し、セルにおけるダウンリンク共通チャネルは、セル間に何らかのタイミング差を有し、2つのセルは、同じ基地局に、または異なる基地局に位置付けることができる。SF-DCでは、UEのダウンリンクは、2つのセルにおいてデータを受信する必要があるが、アップリンクデータは、ただ一方のセルにおいてデータを送信する必要があり、(クロス基地局(cross-base station)SF-DCシナリオでは)他方のセルも、データを復調する必要があり、このようなわけで、UEは、ダウンリンクデータから受信されるサブフレームについてペアリング関係を指定する必要がある。UEの2つのセルは、それぞれ、基準セル(reference cell)および非基準セル(non-reference cell)として、またはタイミング基準セルおよび非タイミング基準セルとして定義することができ、基準セルは、それについてのUEのチャネルタイミングが、Rel-5HSDPAにおけるチャネルタイミングと同じであるセルであり、他方のセルは、非基準セルである。例えば、UEの基準セルのHS-SCCH S_DRX=0は、非基準セルのHS-SCCH S_DRX=0とペアにされ、UEがこれら2つのサブフレームのデータを受信した後、UEは、タイミング基準セルにおける既存のタイミングルールに従って、HS-DPCCHにおいてフィードバックを実行し、HS-DPCCHとHS-SCCHは、一定のタイミング関係を有する。非基準セルの場合、HS-DPCCHの境界は、やはりプロトコルに従って見出されるが、セル間のダウンリンク共通チャネルのタイミング差が理由で、UEまたは非タイミング基準セルがHS-DPCCHの境界を見出すときに、誤りが生じる。UEは、2つのセルのHS-SCCH S_DRX=0を同時に受信し、一方のHS-DPCCHを介してフィードバックを実行するが、それによって、UEまたは非基準セルにHS-DPCCHの境界を誤って位置付けさせ、最終的に、ダウンリンクデータ伝送性能に影響を与える。
【手続補正４】
【補正対象書類名】明細書
【補正対象項目名】００７８
【補正方法】変更
【補正の内容】
【００７８】
本発明の特定の一実施形態は、チャネル境界を位置付けるための方法を提供し、方法は、非基準セルの基地局によって達成され、方法は、図1に示されるように、下記のステップを含む。
S11:非基準セルの基地局が、ネットワークによって送付されたセルタイミング差情報を受信する。
S12:非基準セルの基地局が、HS-SCCHの受信時点を、セルタイミング差情報に従った計算を通して獲得する。
S13:非基準セルの基地局が、非基準セルのHS-DPCCHの境界情報を、HS-SCCHの受信時点に従って獲得する。
【手続補正５】
【補正対象書類名】明細書
【補正対象項目名】００７９
【補正方法】変更
【補正の内容】
【００７９】
本発明の特定の実施形態において提供される方法を用いることで、ネットワークによって送付されたセルタイミング時間差情報を通して、非基準セルのHS-DPCCHの境界が調整され、その結果、非基準セルのHS-DPCCHの境界が正確に位置付けられ、それによって、正しいデータ伝送フィードバック情報およびCQI情報を非基準セルが知ることを可能にし、ダウンリンクデータ伝送の信頼性を高める。
【手続補正６】
【補正対象書類名】明細書
【補正対象項目名】００８１
【補正方法】変更
【補正の内容】
【００８１】
S12を実施するための方法は、具体的には、HS-SCCHの受信時点を、下記の式1.1、すなわち、
((5*CFN_DRX-UE_DTX_DRX_Offset+S_DRX+DRX_OFFSET)MOD UE_DRX cycle)=0  式1.1
に従って決定するステップであって、受信時点は、CFN_DRXとS_DRXの組合せである、ステップとすることができ、
ここで、CFN_DRXは、不連続受信(DRX)ステータスにおける接続フレーム番号であり、S_DRXは、DRXステータスにおけるサブフレーム番号であり、UE_DTX_DRX_OffsetおよびUE_DRX cycleは、ネットワークがUEのために構成するDRXパラメータであり、UE_DTX_DRX_Offsetは、DRXのパターンとDTXのパターンとの間のオフセットであり、UE_DRX cycleは、DRXステータスのサイクルであり、DRX_OFFSETは、DRXオフセットであり、具体的には、非基準セルにおいてUEのチャネルタイミングを計算するために使用されるパラメータであり、単位としてサブフレームを取る。
【手続補正７】
【補正対象書類名】明細書
【補正対象項目名】００８５
【補正方法】変更
【補正の内容】
【００８５】
ここで、m2は、非基準セルのアップリンクDPCCHとアップリンクHS-DPCCHとの間のタイミング差であり、
TTX_diff2は、非基準セルのフラクショナル専用物理チャネル(F-DPCH)と高速物理ダウンリンク共有チャネル(HS-PDSCH)との間のタイミング差であり、このパラメータの値とm2との間の変換関係は、
m2=(TTX_diff2/256)+101
である。
【手続補正８】
【補正対象書類名】明細書
【補正対象項目名】００９０
【補正方法】変更
【補正の内容】
【００９０】
本発明の特定の一実施形態は、チャネル境界を位置付けるための方法をさらに提供し、方法は、図2に示されるように、下記のステップを含む。
S21:UEが、ネットワークによって送付されたセルタイミング差情報を受信する。
S22:UEが、非基準セルのHS-SCCHの受信時点を、セルタイミング差情報に従った計算を通して獲得する。
S23:UEが、非基準セルのHS-DPCCHの境界を、HS-SCCHの受信時点に従って獲得する。
【手続補正９】
【補正対象書類名】明細書
【補正対象項目名】００９１
【補正方法】変更
【補正の内容】
【００９１】
本発明の特定の実施形態において提供される方法を用いることで、ネットワークによって送付されたセルタイミング差情報を通して、非基準セルのHS-DPCCHの境界が調整され、その結果、非基準セルのHS-DPCCHの境界が正確に位置付けられ、それによって、正しいデータ伝送フィードバック情報およびCQI情報を非基準セルが知ることを可能にし、ダウンリンクデータ伝送の信頼性を高める。
【手続補正１０】
【補正対象書類名】明細書
【補正対象項目名】０１００
【補正方法】変更
【補正の内容】
【０１００】
本発明の特定の一実施形態は、基地局をさらに提供し、基地局は、図3に示されるように、受信ユニット31と、第1の計算ユニット32と、第2の計算ユニット33とを含み、
受信ユニット31は、ネットワークによって送付されたセルタイミング差情報を受信し、セルタイミング差情報を第1の計算ユニット32に送るように構成され、
第1の計算ユニット32は、HS-SCCHの受信時点を、セルタイミング差情報に従った計算を通して獲得し、HS-SCCHの受信時点を第2の計算ユニット33に送るように構成され、
第2の計算ユニット33は、非基準セルのHS-DPCCHの境界情報を、HS-SCCHの受信時点に従って獲得するように構成されている。
【手続補正１１】
【補正対象書類名】明細書
【補正対象項目名】０１０７
【補正方法】変更
【補正の内容】
【０１０７】
本発明の特定の実施形態において提供される基地局を用いることで、ネットワークによって送付されたセルタイミング時間差情報を通して、非基準セルのHS-DPCCHの境界が調整され、その結果、非基準セルのHS-DPCCHの境界が正確に位置付けられ、それによって、正しいデータ伝送フィードバック情報およびCQI情報を非基準セルが知ることを可能にし、ダウンリンクデータ伝送の信頼性を高める。
【手続補正１２】
【補正対象書類名】明細書
【補正対象項目名】０１０８
【補正方法】変更
【補正の内容】
【０１０８】
本発明の特定の一実施形態は、ユーザ機器をさらに提供し、ユーザ機器は、図4に示されるように、受信ユニット41と、第1の計算ユニット42と、第2の計算ユニット43とを含み、
受信ユニット41は、ネットワークによって送付されたセルタイミング差情報を受信し、セルタイミング差情報を第1の計算ユニット42に送るように構成され、
第1の計算ユニット42は、非基準セルのHS-SCCHの受信時点を、セルタイミング差情報に従った計算を通して獲得し、HS-SCCHの受信時点を第2の計算ユニット43に送るように構成され、
第2の計算ユニット43は、非基準セルのHS-DPCCHの境界を、HS-SCCHの受信時点に従って獲得するように構成されている。
【手続補正１３】
【補正対象書類名】明細書
【補正対象項目名】０１１７
【補正方法】変更
【補正の内容】
【０１１７】
本発明の特定の実施形態は、基地局をさらに提供し、基地局は、図5に示されるように、受信機51と、プロセッサ52とを含み、受信機51の出力端は、プロセッサ52に接続され、
受信機51は、ネットワークによって送付されたセルタイミング差情報を受信し、セルタイミング差情報を出力端を介してプロセッサ52に送るように構成され、
プロセッサ52は、HS-SCCHの受信時点を、セルタイミング差情報に従った計算を通して獲得し、また非基準セルのHS-DPCCHの境界情報を、HS-SCCHの受信時点に従って獲得するように構成されている。
【手続補正１４】
【補正対象書類名】明細書
【補正対象項目名】０１２４
【補正方法】変更
【補正の内容】
【０１２４】
本発明の特定の実施形態は、ユーザ機器をさらに提供し、ユーザ機器は、図6に示されるように、アンテナ61と、プロセッサ62とを含み、
アンテナ61は、ネットワークによって送付されたセルタイミング差情報を受信し、セルタイミング差情報をプロセッサ62に送るように構成され、
プロセッサ62は、非基準セルのHS-SCCHの受信時点を、セルタイミング差情報に従った計算を通して獲得し、また非基準セルのHS-DPCCHの境界を、HS-SCCHの受信時点に従って獲得するように構成されている。
【手続補正１５】
【補正対象書類名】明細書
【補正対象項目名】０１３４
【補正方法】変更
【補正の内容】
【０１３４】
上述の説明は、本発明の例示的な実施形態であるにすぎず、本発明を限定することは意図していない。本発明の原理の範囲内で行われる任意の変更、等価な置換、または改良はすべて、本発明の保護範囲内に包含されるものとする。
【国際調査報告】
2014527776.tif 000043
2014527776.tif 000044
2014527776.tif 000045
2014527776.tif 000046